(57)【要約】【課題】ゲル収納パッドキャップ付きコンドームの提供。【解決手段】本発明に係るコンドームは、コンドーム１０が巻き上げられている状態でコンドーム１０の入口をなすコンドーム入口リング１１にゲル収納パッドキャップ２０が挿脱自在に嵌め込まれて前記入口が閉塞され、ゲル収納パッドキャップ２０の内部にはゲルが貯留されることを特徴とする。ゲル収納パッドキャップ２０は、パッド胴体２１とパッド蓋体２３とが互いに着脱自在に係合されてなり、ゲルはパッド胴体２１に貯留され、パッド蓋体２３と係合されるパッド胴体２１の前側面には前記ゲルの外部流出路となる入口２２が設けられる。【選択図】図１
2014132929.tif 000002
【特許請求の範囲】
【請求項１】
コンドームが巻き上げられている状態で前記コンドームの入口をなすコンドーム入口リングにゲル収納パッドキャップが挿脱自在に嵌め込まれて前記入口が閉塞され、前記ゲル収納パッドキャップの内部にはゲルが貯留されることを特徴とするコンドーム。
【請求項２】
前記ゲル収納パッドキャップは、前記コンドーム入口リングが緻密に嵌め込まれるように表側面に凹状のリング嵌合溝が周設されることを特徴とする請求項１に記載のコンドーム。
【請求項３】
前記コンドーム入口リングが前記リング嵌合溝に嵌め込まれるときに、前記コンドーム入口リングが弾力による圧縮力で前記ゲル収納パッドキャップの表側面を押し付けることにより、前記ゲル収納パッドキャップと前記コンドーム入口リングとが緻密に嵌合されて前記ゲル収納パッドキャップが前記コンドーム入口リングに挿脱自在に嵌め込まれることを特徴とする請求項２に記載のコンドーム。
【請求項４】
前記コンドームが巻き上げられている状態で前記コンドーム入口リングは円形状を呈し、前記ゲル収納パッドキャップは長円または多角形状を呈することを特徴とする請求項３に記載のコンドーム。
【請求項５】
前記コンドームが巻き上げられている状態で前記コンドーム入口リングは円形状を呈し、前記ゲル収納パッドキャップも円形状を呈することを特徴とする請求項３に記載のコンドーム。
【請求項６】
前記ゲル収納パッドキャップは、平板形状を呈することを特徴とする請求項１に記載のコンドーム。
【請求項７】
前記ゲル収納パッドキャップは、パッド胴体とパッド蓋体とが互いに着脱自在に係合されてなり、前記ゲルは前記パッド胴体に貯留され、前記パッド蓋体と係合される前記パッド胴体の前側面には前記ゲルの外部流出路となる入口が設けられることを特徴とする請求項１に記載のコンドーム。
【請求項８】
前記パッド蓋体と係合されるパッド胴体の前側面には雄ねじ溝付き突出入口が形成され、前記パッド胴体と係合されるパッド蓋体の前側面には前記突出入口が捻じ込まれるように雌ねじ溝付き凹状の係合溝が形成されて、前記突出入口と前記凹状の係合溝とが螺合されることにより前記パッド胴体とパッド蓋体とが係合されることを特徴とする請求項７に記載のコンドーム。
【請求項９】
前記ゲル収納パッドキャップは、パッド胴体とパッド蓋体とが一体に形成され、前記パッド蓋体によって前記パッド胴体が封じられていて、前記パッド蓋体が引きちぎられながら脱抜されて前記パッド胴体が開封されるように設けられることを特徴とする請求項１に記載のコンドーム。
【発明の詳細な説明】
【技術分野】
【０００１】
本発明はコンドームに係り、特に、コンドームを潤滑剤と共に携行できるようにして保管しやすさ及び持ち運び性だけではなく、実用性を増大させ、さらに、コンドームの内面に塗布される男性用の治療剤と外面に塗布される潤滑剤とが互いに混ざらないようにするコンドームに関する。
【背景技術】
【０００２】
一般に、コンドームは、軟質のゴム材質からなり、男性の性器に覆い被せて使用できるようにチューブ状に形成されてビニール袋などに密閉包装されて流通される。かようなコンドームは、従来より妊娠を防ぐために用いられてきたが、最近は、ＡＩＤＳ及び成人病などの疾病を予防するための補助具としてその使用が推奨されてユーザーの種々の好みに応じて種々のものが製作され、現代社会に欠かせない必須品となっている。
【０００３】
コンドームを効率よく用いるために、コンドームの外面に潤滑剤を塗り付けて用いることが頻繁にあるが、このような潤滑剤は、使い捨て用ではなく、数十回に亘って繰り返し使用できるようにビニール製やプラスチック製の容器など僅かな体積を有する容器に入れて別途の商品として市販され、ユーザーは、必要に応じて、少量ずつ手に取って用いる。潤滑剤には、ユーザーの好みに応じて、種々の香りが添加されることもある。このため、従来の場合、別途の潤滑剤とコンドームを両方とも携帯していなければ、コンドームに潤滑剤を塗り付けて用いることができないという煩雑さがある。
【０００４】
一方、コンドームの内面に早漏症や発起不全症を治療するために男性用の治療剤が予め塗布される場合があるが、このとき、単一の包装容器に潤滑剤とコンドームを密封したままで販売すれば、男性用の治療剤と潤滑剤とが互いに混ざってしまい、自分の機能を正常に発揮できなくなってしまう。
【０００５】
上述したように、従来のコンドームは、潤滑剤とコンドームをそれぞれ別々に保管または携行することを余儀なくされ、しかも、同じ包装容器に保管される場合にコンドームの内面にも潤滑剤が付いてしまい、コンドームが剥がれやすくて自分の機能が正常に行えないか、あるいは、コンドームの内面に塗布されている男性用の治療剤と潤滑剤とが互いに混ざって自分の機能が正常に行えないという問題がある。
【発明の概要】
【発明が解決しようとする課題】
【０００６】
したがって、本発明が解消しようとする課題は、コンドームにゲル収納パッドキャップを取り付けてコンドームとゲル（潤滑剤）を同時に簡便に携帯且つ保管できるようにして上述した従来の問題点を解消することのできるゲル収納パッドキャップ付きコンドームを提供するところにある。
【課題を解決するための手段】
【０００７】
上述した課題を達成するための本発明に係るコンドームは、コンドームが巻き上げられている状態で前記コンドームの入口をなすコンドーム入口リングにゲル収納パッドキャップが挿脱自在に嵌め込まれて前記入口が閉塞され、前記ゲル収納パッドキャップの内部にはゲルが貯留されることを特徴とする。
【０００８】
前記ゲル収納パッドキャップは、前記コンドーム入口リングが緻密に嵌め込まれるように表側面に凹状のリング嵌合溝が周設されることが好ましい。このとき、前記コンドーム入口リングが前記リング嵌合溝に嵌め込まれるときに、前記コンドーム入口リングが弾力による圧縮力で前記ゲル収納パッドキャップの表側面を押し付けることにより、前記ゲル収納パッドキャップと前記コンドーム入口リングとが緻密に嵌合されて前記ゲル収納パッドキャップが前記コンドーム入口リングに挿脱自在に嵌め込まれることが好ましい。このために、前記コンドームが巻き上げられている状態で前記コンドーム入口リングは円形状を呈し、前記ゲル収納パッドキャップは長円または多角形状を呈することが好ましい。前記コンドームが巻き上げられている状態で前記コンドーム入口リングは円形状を呈し、前記ゲル収納パッドキャップも円形状を呈することが好ましい。
【０００９】
前記ゲル収納パッドキャップは、平板形状を呈することが好ましい。
【００１０】
前記ゲル収納パッドキャップは、パッド胴体とパッド蓋体とが互いに着脱自在に係合されてなり、前記ゲルは前記パッド胴体に貯留され、前記パッド蓋体と係合される前記パッド胴体の前側面には前記ゲルの外部流出路となる入口が設けられることが好ましい。この場合、前記パッド蓋体と係合されるパッド胴体の前側面には雄ねじ溝付き突出入口が形成され、前記パッド胴体と係合されるパッド蓋体の前側面には前記突出入口が捻じ込まれるように雌ねじ溝付き凹状の係合溝が形成されて、前記突出入口と前記凹状の係合溝とが螺合されることにより前記パッド胴体とパッド蓋体とが係合されることが好ましい。
【００１１】
前記ゲル収納パッドキャップは、パッド胴体とパッド蓋体とが一体に形成され、前記パッド蓋体によって前記パッド胴体が封じられていて、前記パッド蓋体が引きちぎられながら脱抜されて前記パッド胴体が開封されるように設けられることが好ましい。
【発明の効果】
【００１２】
本発明によれば、ゲル収納パッドキャップがコンドームの入口に物理的に挿脱自在に嵌め込まれてコンドームを密封し、ゲル収納パッドキャップの内部にゲルが保管されることから、コンドームの内部に男性用の治療剤が塗布されている場合であっても、男性用の治療剤が外部環境から保護され、且つ,男性用の治療剤がゲルと混ざることがなくなる。このため、男性用の保護剤とゲルが自分の機能を正常に発揮することが可能になる。なお、コンドームと共にゲルが保管及び携帯されることから、別途のゲル容器を携帯しなくても、コンドームの使用に際してゲルを便利に使用することが可能になる。
【図面の簡単な説明】
【００１３】
【図１】本発明に係るコンドームを説明するための図である。
【図２】図１のゲル収納パッド２０を説明するための図である。
【図３】本発明に係るコンドームの種々の形態を説明するための図である。
【発明を実施するための形態】
【００１４】
以下、添付図面に基づき、本発明の好適な実施形態について詳述する。下記の実施形態は、本発明の内容を理解するために提示されたものに過ぎず、当分野における通常の知識を有する者であれば、本発明の技術的な思想内において種々の変形が可能である。よって、本発明の権利範囲がこのような実施形態に限定されるものと解釈されてはならない。図中、同じ参照符号は同じ機能を行う構成要素を示し、これについての重複説明は省略する。
【００１５】
図１は、本発明に係るコンドームを説明するための図であって、図１Ａは、分解された状態を説明するための分解図であり、図１Ｂは、結合された状態を説明するための結合図である。図１に示すように、本発明に係るコンドームは、コンドーム１０が巻き上げられている状態でコンドーム入口リング１１にゲル収納パッドキャップ２０が嵌め込まれてコンドームの入口が閉塞されるような構成を取る。
【００１６】
ゲル収納パッドキャップ２０は、パッド胴体２１とパッド蓋体２３とからなり、パッド胴体２１とパッド蓋体２３とが係合された状態でコンドーム入口リング１１を閉塞するように全体的にコンドームの入口リング１１と同じ形状を取り、平板形状を呈する。これにより、ゲル収納パッドキャップ２０がコンドーム１０に嵌め込まれた結果物が全体的に薄い板形状を呈することになる。
【００１７】
ゲルはパッド胴体２１の内部に収納され、パッド蓋体２３が接して組み合わせられるパッド胴体２１の前側面にはパッド蓋体２３を係合するための突出入口２２が形成される。
【００１８】
ユーザーは、図１Ｂに示すように、ゲル収納パッドキャップ２０が嵌め込まれているコンドーム１０を携行していて、ゲル収納パッドキャップ２０をコンドーム１０から脱抜し、コンドーム１０を付けた後に、ゲル収納パッドキャップ２０のパッド蓋体２３を開いてゲルをコンドーム１０の外面に塗り付けて楽しい性生活を営むことになる。
【００１９】
図２は、図１のゲル収納パッド２０を説明するための図である。図１に示すように、パッド胴体２１とパッド蓋体２３とは係合された状態で板状を呈し、コンドーム入口リング１１に緻密に嵌め込まれるように表側面の縁部がコンドーム入口リング１１と同じ形状を呈する。
【００２０】
パッド胴体２１とパッド蓋体２３とが係合された状態でコンドーム入口リング１１が横に嵌め込まれるとき、コンドーム入口リング１１が脱抜され難くするために、表側面に凹状のリング嵌合溝２４が周設される。リング嵌合溝２４の周りのサイズがコンドーム入口リング１１と同じであっても、リング嵌合溝２４の上端Ａと下端Ｂが横に突き出てコンドーム入口リング１１を上下から押し付けるため、リング嵌合溝２４とコンドーム入口リング１１は緻密に組み合わせられる。
【００２１】
パッド蓋体２３とパッド胴体２１は組み合わせられ、パッド蓋体２３に接するパッド胴体２１の前側面には雄ねじ溝付き突出入口２２が形成され、パッド胴体２１に接するパッド蓋体２３の前側面には突出入口２２が捻じ込まれるように雌ねじ溝付き凹状の係合溝２６が形成される。
【００２２】
パッド蓋体２３とパッド胴体２１は、螺合方式に加えて、他の方式により係合されてもよい。例えば、突出入口２２および凹状の係合溝２６にねじ溝ではない段付き部を設けて、段付き部同士が互いに引っ掛かるようにして、いわゆる「スナップボタン」方式により係合してもよい。
【００２３】
パッド蓋体２３及びパッド胴体２１は最初から一体に形成されてもよく、この場合、パッド蓋体２３によってパッド胴体２１が封じられていて、パッド蓋体２３を引きちぎって脱抜すればパッド胴体２１が開封される。
【００２４】
図３は、本発明に係るコンドームの種々の形態を説明するための図である。図３に示すように、コンドーム入口リング１１が円形状を呈するため、コンドーム入口リング１１が弾力による圧縮力でゲル収納パッドキャップ２０の表側面を押し付けることにより、ゲル収納パッドキャップ２０とコンドーム入口リング１１とが脱抜されないように緻密に係合されるようにするために、ゲル収納パッドキャップ２０は、円形状ではない他の形状、例えば、三角形（図３Ａ）、菱形（図３Ｂ）、一方側に僅かに長い楕円状（図３Ｃ）、四角形（図３Ｄ）のように楕円状または多角形状を呈することが好ましい。ゲル収納パッドキャップ２０が凹所（例えば、星状）を有する場合には、コンドーム入口リング１１と緻密に係合できなくなる虞があるため好ましくない。
【００２５】
もちろん、ゲル収納パッドキャップ２０が円形状を呈してもよく、この場合には、図２に示すように、リング嵌合溝２４の周りのサイズがコンドーム入口リング１１よりも僅かに大きいことが好ましい。
【００２６】
本発明によれば、ゲル収納パッドキャップ２０がコンドーム１０の入口に物理的に挿脱自在に嵌め込まれてコンドーム１０を密封し、ゲル収納パッドキャップ２０の内部にゲルが保管されることから、コンドーム１０の内部に男性用の治療剤が塗布されている場合であっても、男性用の治療剤が外部環境から保護され、且つ,男性用の治療剤がゲルと混ざることがなくなる。このため、男性用の保護剤とゲルが自分の機能を正常に発揮することが可能になる。なお、コンドーム１０と共にゲルが保管及び携帯されることから、別途のゲル容器を携帯しなくても、コンドーム１０の使用に際してゲルを便利に使用することが可能になる。
【符号の説明】
【００２７】
１０：コンドーム
１１：コンドーム入口リング
２０：ゲル収納パッドキャップ
２１：パッド胴体
２２：突出入口
２３：パッド蓋体
２６：凹状の係合溝
【図１】
2014132929.tif 000003
【図２】
2014132929.tif 000004
【図３】
2014132929.tif 000005